【手続補正書】
【提出日】平成17年10月7日(2005.10.7)
【手続補正１】
【補正対象書類名】明細書
【補正対象項目名】特許請求の範囲
【補正方法】変更
【補正の内容】
【特許請求の範囲】
【請求項１】  ネットワークに接続され画情報を受信する画情報通信装置において、
受信した画情報を、前記ネットワークに接続された他端末から閲覧できるようにフォーマット変換するフォーマット変換手段と、
前記フォーマット変換手段により変換された前記画情報を記憶する受信画情報記憶手段と、
前記受信画情報記憶手段に記憶された各受信画情報を、前記他端末に対して一覧表示するためのサーバ手段と
を備えたことを特徴とする画情報通信装置。
【請求項２】  前記画情報を記録紙に記録出力する画情報記録手段と、
前記ネットワークを介して前記他端末からの指定受信画情報の出力要求があった場合には当該指定受信画情報を前記画情報記録手段により記録紙に記録出力する第１の制御手段と、
前記ネットワークを介して前記他端末からの指定受信画情報の破棄要求があった場合には当該指定受信画情報を前記受信画情報記憶手段から削除する第２の制御手段と
を備えたことを特徴とする請求項１に記載の画情報通信装置。
【請求項３】  前記フォーマット変換手段が画情報を受信する前記所定の通信経路はＰＳＴＮ網であることを特徴とする請求項１または２のいずれかに記載の画情報通信装置。
【請求項４】  前記フォーマット変換手段が画情報を受信する前記所定の通信経路はＩＳＤＮ網であることを特徴とする請求項１または２のいずれかに記載の画情報通信装置。
【請求項５】  前記フォーマット変換手段が画情報を受信する前記所定の通信経路は前記ネットワークであることを特徴とする請求項１または２のいずれかに記載の画情報通信装置。
【請求項６】  前記受信画情報の前記受信画情報記憶手段における記憶態様を所定形式の階層構造とする一方、その階層間の受信画情報の移動を前記ネットワークを介して他端末からブラウザより行うことが出来るようにしたことを特徴とする請求項１ないし５のいずれかに記載の画情報通信装置。
【手続補正２】
【補正対象書類名】明細書
【補正対象項目名】０００６
【補正方法】変更
【補正の内容】
【０００６】
また、インターネットへの接続環境を付加することにより、インターネットを用いた電子メールやホームページの閲覧ができる環境が整いつつある。このような世の中の状況において、ファクシミリ装置等の画情報通信装置についてもインターネットに対応した製品が各社より製品化され始めている。
【手続補正３】
【補正対象書類名】明細書
【補正対象項目名】００１０
【補正方法】変更
【補正の内容】
【００１０】
【課題を解決するための手段】
請求項１に記載の画情報通信装置は、ネットワークに接続され画情報を受信する画情報通信装置において、受信した画情報を、前記ネットワークに接続された他端末から閲覧できるようにフォーマット変換するフォーマット変換手段と、前記フォーマット変換手段により変換された前記画情報を記憶する受信画情報記憶手段と、前記受信画情報記憶手段に記憶された各受信画情報を、前記他端末に対して一覧表示するためのサーバ手段とを備えたことを特徴とする。
請求項２に記載の画情報通信装置は、請求項１に記載の画情報通信装置において、前記画情報を記録紙に記録出力する画情報記録手段と、前記ネットワークを介して前記他端末からの指定受信画情報の出力要求があった場合には当該指定受信画情報を前記画情報記録手段により記録紙に記録出力する第１の制御手段と、前記ネットワークを介して前記他端末からの指定受信画情報の破棄要求があった場合には当該指定受信画情報を前記受信画情報記憶手段から削除する第２の制御手段とを備えたことを特徴とする。
【手続補正４】
【補正対象書類名】明細書
【補正対象項目名】００１１
【補正方法】変更
【補正の内容】
【００１１】
請求項３に記載の画情報通信装置は、請求項１または２のいずれかに記載の画情報通信装置において、前記フォーマット変換手段が画情報を受信する前記所定の通信経路はＰＳＴＮ網であることを特徴とする。
【手続補正５】
【補正対象書類名】明細書
【補正対象項目名】００１２
【補正方法】変更
【補正の内容】
【００１２】
請求項４に記載の画情報通信装置は、請求項１または２のいずれかに記載の画情報通信装置において、前記フォーマット変換手段が画情報を受信する前記所定の通信経路はＩＳＤＮ網であることを特徴とする。
【手続補正６】
【補正対象書類名】明細書
【補正対象項目名】００１３
【補正方法】変更
【補正の内容】
【００１３】
請求項５に記載の画情報通信装置は、請求項１または２のいずれかに記載の画情報通信装置は、前記フォーマット変換手段が画情報を受信する前記所定の通信経路は前記ネットワークであることを特徴とする。
【手続補正７】
【補正対象書類名】明細書
【補正対象項目名】００１４
【補正方法】変更
【補正の内容】
【００１４】
請求項６に記載の画情報通信装置は、請求項１ないし５のいずれかに記載の画情報通信装置において、前記受信画情報の前記受信画情報記憶手段における記憶態様を所定形式の階層構造とする一方、その階層間の受信画情報の移動を前記ネットワークを介して他端末からブラウザより行うことが出来るようにしたことを特徴とする。
【手続補正８】
【補正対象書類名】明細書
【補正対象項目名】００６５
【補正方法】変更
【補正の内容】
【００６５】
【発明の効果】
請求項１に係る発明によれば、前記所定の通信経路を介して受信した画情報を遠隔の他端末から閲覧させることができ、離れた場所の他端末から画情報の受信状況等を把握することが可能となる効果が得られる。
請求項２に係る発明によれば、更に、必要なら、他端末からの要求に応じて受信画情報の印字、不要な受信画情報の削除が可能となり、離れた場所の他端末から画情報の受信状況等を把握させた上で受信画情報に対する適切な対応をとらせることが可能となる効果が得られる。
【手続補正９】
【補正対象書類名】明細書
【補正対象項目名】００６６
【補正方法】変更
【補正の内容】
【００６６】
請求項３に係る発明によれば、Ｇ３ファクシミリなどのＰＳＴＮ網を介した受信形態で画情報を受信する場合に、請求項１または２に係る発明を適用することが可能となる効果が得られる。
【手続補正１０】
【補正対象書類名】明細書
【補正対象項目名】００６７
【補正方法】変更
【補正の内容】
【００６７】
請求項４に係る発明によれば、Ｇ４ファクシミリなどのＩＳＤＮ網を介した受信形態で画情報を受信する場合に、請求項１または２に係る発明を適用することが可能となる効果が得られる。
【手続補正１１】
【補正対象書類名】明細書
【補正対象項目名】００６８
【補正方法】変更
【補正の内容】
【００６８】
請求項５に係る発明によれば、ネットワークを介した受信形態で画情報を受信する場合に、請求項１または２に係る発明を適用することが可能となる効果が得られる。
【手続補正１２】
【補正対象書類名】明細書
【補正対象項目名】００６９
【補正方法】変更
【補正の内容】
【００６９】
請求項６に係る発明によれば、本発明に係る画情報通信装置を利用するメンバーごとのフォルダ（ディレクトリ）を設けるようにすることにより、誰宛の受信文書であるかはわかっても、印字出力の要否の判別がつかないといったような場合等に、ファクシミリ担当者は受信した画情報を閲覧しプロッタへの出力、破棄、メンバーのフォルダへの移動など、受信画情報に対して柔軟な対応をとることができ、各メンバーは自分のフォルダを見るのみで済むようになるという効果が得られる。